(57)【要約】      （修正有）【課題】色々な機器に載置して使用できる検尺装置を提供する。【解決手段】少なくとも、車輪１５ａ，１５ｂを、装置係止部４が取り付けられた面と装置係止部４が取り付けられた面と交わる面に、はみ出して設けたことにより、検尺装置１が載置される姿勢が変化した場合でも、車輪１５ａ，１５ｂのいずれかの面にはみ出した部分がシート状物に接触させる。また、車軸１２に、Ｓ磁極とＮ磁極を交互に配置した回転板１３と、車軸受け１４ａ、１４ｂを、車軸１２と同軸に通し、車軸受け１４ａ、１４ｂを上ケース２と下ケース３で挟み込むことにより、車輪１５ａ，１５ｂを保持する。【選択図】図１
2018017508.tif 000002
【特許請求の範囲】
【請求項１】
搬送されるシート状物に接触して従動回転する車輪と、
前記車輪の回転に比例した検尺パルスを生成する検尺部と、
検尺装置を操作する為の表示操作部と
前記表示操作部などの制御を行う演算部と、
シート状物を搬送する機器に載置する為の装置係止部を備え、
前記装置係止部により、シート状物の搬送路に載置され、
前記演算部は、前記検尺部により生成される検尺パルスを計数して、シート状物の長さを算出して表示する、シート状物の長さを測長する検尺装置であって、
少なくとも、前記車輪を、前記装置係止部が取り付けられた面と前記装置係止部が取り付けられた面と交わる面にはみ出して設けたことにより、
前記検尺装置が載置される姿勢が変化した場合でも、前記車輪のいずれかの面にはみ出した部分がシート状物に接触することを特徴とするシート状物の検尺装置。
【請求項２】
車軸に、Ｓ磁極とＮ磁極を交互に配置した回転板と、車軸受けを、前記車軸と同軸に通し、前記車軸受けを上ケースと下ケースで挟み込むことにより、前記車輪を保持することを特徴とする前記請求項１のシート状物の検尺装置。
【請求項３】
前記検尺パルスが２相のパルスであり、２相のパルスの位相により、前記車輪の回転方向を判定し、検尺パルス計数の、加算あるいは減算を行うことを特徴とする前記請求項２のシート状物の検尺装置。
【請求項４】
原反部が外巻きであるか、あるいは内巻きであるかを設定する、巻き方向設定手段を有することを特徴とする前記請求項３のシート状物の検尺装置。
【請求項５】
検尺装置がシート状物を搬送する機器に載置される際の載置向きに応じて、
前記表示操作部に表示する長さと枚数の上下の向きを反転させることを特徴とする前記請求項３のシート状物の検尺装置。
【請求項６】
前記検尺パルスを計数することにより算出した長さに、前記車輪の半径寸法を加算して長さ測長値とすることを特徴とする前記請求項３のシート状物の検尺装置。
【発明の詳細な説明】
【技術分野】
【０００１】
本発明は搬送されるシート状物の長さを測長する為の検尺装置である。
【背景技術】
【０００２】
従来、部屋の内装施工の際に壁紙の裏面に糊を付ける為の装置として壁紙糊付機が使われている。壁紙糊付機には、壁紙の搬送や糊を付ける為の複数のローラーを回転駆動するモーターを備えている、いわゆる、自動壁紙糊付機と、モーターを備えず作業者が手で壁紙を引っ張ることにより複数のローラーを回転させる、いわゆる、手動壁紙糊付機が使われている。
【０００３】
手動壁紙糊付機では、糊を付けて排出した壁紙の長さを測長する為に、手動壁紙糊付機本体とは別体の検尺装置が使われている。検尺装置の構造は、円周に数字０、１、２、３、４、５、６、７、８、９の目盛りが印刷された円盤が、長さを表示するものとして、千の位用、百の位用、十の位用、一の位用の円盤が４つ設けられ、枚数を表示するものとして十の位用、一の位用の２つの円盤が設けられており、壁紙に接触している車輪が壁紙の搬送により従動回転すると、まず、長さの一の位用の円盤が回転し、一の位用の円盤が１回転すれば、桁上げが行われて、十の位用の円盤が１目盛りカウントアップし、十の位用の円盤が１回転すれば、百の位用の円盤が１目盛りカウントアップし、下位の桁が１回転する毎に上位の位へ桁上がりさせるアナログ式のメーターである。
検尺する長さの初期値設定は、長さリセットボタンが押されると長さの全桁に０が設定され（０リセットされ）、枚数リセットボタンが押されると枚数の全桁に０が設定される（０リセットされる）。
また、長さリセットボタンが押されると枚数カウントが１加算される。
【０００４】
糊付け作業者は、検尺装置を手動壁紙糊付機のステー（２７）の上に載置して、検尺装置の車輪を壁紙の表面に接触させて、検尺装置の長さリセットボタンを押して、長さカウント値を０クリアしてから、枚数リセットボタンを押して、自分のメモを見て、１枚目の壁紙の長さがいくらであるかを認識して、本体正面に貼り付いている１枚目の壁紙の先端部の左右を両手で持って自分の方向へ引っ張って壁紙を手動壁紙糊付機の正面方向へ引き出す。
壁紙が手で引っ張られることにより糊付けローラーが回転し、糊付けローラーと歯車により連動されるドクターローラーも回転し、定められた厚みの糊が壁紙に付いて排出される。
【０００５】
この時、壁紙の上に置かれている検尺装置の車輪が壁紙に従動回転し、アナログメータ部の円盤の一の位が目盛り０から９まで回転して再び０に戻る時に桁上げが行われ、現時点までに排出された壁紙の長さが逐次表示される。
作業者は壁紙を手で引っ張りながらアナログメータを目視し、アナログメータの目盛りが自分が糊付けをしたい壁紙の長さに達したら手を止める。
【０００６】
続いて作業者は、壁紙を手動壁紙糊付機の本体正面に貼り付けて脚部のステンレスステーに沿って、カッターナイフで一直線に切断し、１枚の糊付き壁紙が得られる。
【０００７】
続いて作業者が、検尺装置の長さリセットボタンを押すと、長さ目盛りの全桁が０にリセットされて、枚数が１カウントアップされる。以上の操作により、１枚目の壁紙の糊付けが完了する。  この様な糊付け作業を繰り返し行い、糊が付いた壁紙が数枚でき上がったら壁紙を貼り付ける作業を行っている部屋へ貼りに行く。
【先行技術文献】
【特許文献】
【０００８】
【特許文献１】特許第２９０３３６９号
【発明の開示】
【発明が解決しようとする課題】
【０００９】
このような検尺装置は手動壁紙糊付機以外の機器、例えば、インクジェット壁紙の液体コーティング機や布地捺染前処理機やカーテン生地の検尺機などにおいても、搬送されるシート状物の長さを測長する為に用いたいという要望がある。
しかし、これらの機器によりシート状物を搬送する経路が異なり、検尺装置を搭置する方向や向きが異なる。
例えば、手動壁紙糊付機では水平なステーの上に乗った壁紙の上に検尺装置を載置し、
インクジェット壁紙の液体コーティング機では、壁紙が斜め上に進んでいるところに搭置するが、  布地捺染前処理機では、布地の原反部の上に検尺装置を搭置する。
原反部の上に載置した場合、シート状物が解反されて巻きの直径が細くなった場合には検尺装置の筐体が布地の原反に当たって車輪が浮き空転してシート状物の長さを測長できない場合がある。という課題を有している。
【００１０】
また、布地の原反部には表面を内側に巻いた「内巻き」と、表面を外側に巻いた「外巻き」があり、検尺装置を布地の原反部の上に載置した場合、布地の先端が引き出され搬送され解反された場合、「内巻き」と「外巻き」により、原反部の回転方向が異なり検尺装置の車輪が回転する方向が異なるので、外巻の原反部が外巻きの場合は、シート状物の長さを測長できない。という課題を有している。
【００１１】
また、布地捺染前処理機とインクジェット壁紙の液体コーティング機に装着される場合、
検尺装置を載置する上下方向の向きが、手動壁紙糊付機に装着される場合とで異なるので、
長さと枚数の表示が上下反対になり見づらい。という課題を有している。
【００１２】
また、シート状物の種類により、直径や材質の異なる車輪に交換する場合に、交換の手間を要する。という課題を有している。
以上のように、シート状物を搬送する色々な機器に載置して使用できるシート状物の検尺装置はまだ具体化されていない。
【課題を解決するための手段】
【００１３】
搬送されるシート状物に接触して従動回転する車輪と、
車輪の回転に比例した検尺パルスを生成する検尺部と、
検尺装置を操作する為の表示操作部と
表示操作部などの制御を行う演算部と、
シート状物を搬送する機器に載置する為の装置係止部を備え、
装置係止部により、シート状物の搬送路に載置され、
演算部は、検尺部により生成される検尺パルスを計数して、シート状物の長さを算出して表示する、シート状物の長さを測長する検尺装置であって、
少なくとも、車輪を、装置係止部が取り付けられた面と装置係止部が取り付けた面と交わる面に、はみ出して設けたことにより、検尺装置が載置される姿勢が変化した場合でも、車輪のいずれかの面にはみ出した部分がシート状物に接触することを特徴とする。
【００１４】
車軸に、Ｓ磁極とＮ磁極を交互に配置した回転板と、車軸受けを、車軸と同軸に通し、車軸受けを上ケースと下ケースで挟み込むことにより、車輪を保持することを特徴とする。
【００１５】
検尺パルスが２相のパルスであり、２相のパルスの位相により車輪の回転方向を判定し、検尺パルス計数の、加算あるいは減算を行うことを特徴とする。
【００１６】
原反部が外巻きであるか、あるいは内巻きであるかを設定する、巻き方向設定手段を有することを特徴とする。
【００１７】
検尺装置がシート状物を搬送する機器に載置される際の載置向きに応じて、
長さと枚数を表示の上下の向きを反転させることを特徴とする。
【００１８】
検尺パルスを計数することにより算出した長さに、
車輪の半径寸法を加算して長さ測長値とすることを特徴とする。
【発明の効果】
【００１９】
少なくとも、車輪を、装置係止部が取り付けられた面と装置係止部が取り付けた面と交わる面に、はみ出して設けたことにより、検尺装置が載置される姿勢が変化した場合でも、車輪のいずれかの面にはみ出した部分がシート状物に接触するので、シート状物を搬送する色々な機器に載置して使用できる。
【００２０】
また、車軸に、車軸と同軸に、回転板と車軸と車軸受けを通し、車軸受けを上ケースと下ケースを挟み込むという簡単な構造であるので、検尺装置の組み立てが容易で車輪の交換がし易いものである。
【００２１】
２相の検尺パルスの位相により、車輪の回転方向を判定し、検尺パルス計数の加算あるいは減算を行うので、シート状物が搬送とは逆の方向に巻き戻された長さ分を減算した長さを
測長することができる。
【００２２】
また、原反部が外巻きであるか、あるいは内巻きであるかを設定する、巻き方向設定手段を有するので、原反部が、外巻きの場合でも、内巻きの場合でも、原反部から解反されて搬送機器の内部に搬送される長さをプラスとして測長することができる。
【００２３】
検尺装置がシート状物を搬送する機器に載置される際の載置向きに応じて、長さと枚数を表示の上下方向を反転させるので、どのような姿勢で載置された場合でも表示は見やすいものである。
【００２４】
検尺パルスを計数することにより測長した長さの値に車輪の半径寸法を加算して長さ測長値とするので、部屋の隅部など車輪が入り込むことができない部分の寸法も含めた長さの測長値を得ることができる。
【図面の簡単な説明】
【００２５】
【図１】図１は、本発明の検尺装置（１）の構成を説明する為の図であり、図１（a）は上面であり、図１（b）は側面図である。
【図２】図２は、本発明の検尺装置（１）の制御機能を説明する為の図であり、図２（a）はブロック図であり、図２（b）は車輪がＣＷ方向に回転している場合の検尺パルスであり、図２（c）は車輪がＣＣＷ方向に回転している場合の検尺パルスである。
【図３】図３は本発明の検尺装置（１）をシート状物を搬送する装置に搭置した場合を説明するための図であり、図３（a）は、シート状物の搬送経路に搭置した場合であり、図３（b）はシート状物の外巻きの原反部に搭置した場合であり、図３（c）はシート状物の内巻きの原反部に搭置した場合である。
【図４】図４は本発明の検尺装置（１）を手で持って測長する場合を説明するための図であり、図４（a）は、机上に置いたシート状物の長さを測長する場合であり、図４（b）は、壁の高さを測長する場合である。
【図５】図５は本発明の検尺装置（１）の表示操作部に表示する長さと枚数の数字の向きを説明する為の図であり、図５（a）は検尺装置（１）が装置係止部先端が下方になるように傾いた場合であり、図５（b）は、検尺装置（１）が装置係止部先端が上方になるように傾いた場合である。
【図６】図６は本発明の検尺装置（１）のフローチャートであり、シート状物の搬送路に載置するモードとシート状物の原反部に搭置するモードと手で持って測長するモードに分岐する処理である。
【図７】図７は本発明の検尺装置（１）のフローチャートであり、「搬送路載置モード」の処理である。
【図８】図８は本発明の検尺装置（１）のフローチャートであり、「原反部載置モード」の処理である。
【図９】図９は本発明の検尺装置（１）のフローチャートであり、「手持ちモード」の処理である。
【発明を実施するための最良の形態】
【００２６】
図１を用いて本発明の検尺装置（１）の構造を説明する。
図１に示すように検尺装置（１）は、左右一対の車輪（１５a）、（１５b）が下ケース（３）の側面より外側へにはみ出した格好で設けられている。
車軸（１２）に回転板（１３）を通し、回転板（１３）の外側から左右一対の車軸受け（１４a）と車軸受け（１４b）を通し、車軸受け（１４a）、（１４b）の外側から左右一対の車輪（１５a）と車輪（１５b）を通して取り付けている。
回転板（１３）は回転板セットボルト（３４）によって車軸（１２）に固定されており、
車輪（１５a）は車輪セットボルト（３３a）により車軸（１２）に固定されており、
車輪（１５b）は車輪セットボルト（３３b）により車軸（１２）に固定されており、   
車軸受け（１４a）、（１４b）は車軸（１２）に固定されていないので、車軸受け（１４a）、（１４b）と車軸（１２）の間が滑ることにより車輪（１５a）、（１５b）は回転する。
また、車軸受け（１４a）は、上ケース（２）の左側面と下ケース（３）の左側面に挟み込まれて保持され、車軸受け（１４b）は上ケース（２）の右側面と下ケース（３）右側面に挟み込まれることにより、車輪（１５a）と車輪（１５b）は検尺装置（１）の左右側面にはみ出した格好で保持されている。
また、車輪（１５a）と車輪（１５b）の外径が、下ケース（３）の下ケース背面（３１）よりも検尺装置（１）の後方へはみ出し、かつ下ケース（３）の下ケース底面（３２）よりも下方へはみ出す位置に車軸受け（１４a）、（１４b）は保持されている。
また、下ケース背面（３１）と下ケース底面（３２）が交わる部分に下ケース面取り部（２０）を設けている。
【００２７】
また、下ケース底面（３２）には、検尺装置（１）をシート状物を搬送する機器に装着するための装置係止部（４）がネジ（１６a）、（１６b）により取り付けられている。
【００２８】
また、上ケース（２）の上面には、検尺装置（１）を操作するための表示操作部（７）が設けられている。
【００２９】
また、表示操作部（７）の下側には、電源スイッチ（１７）とＵＳＢコネクタ（１８）が実装された制御基板（１９）が設けられている。
【００３０】
図２−aに制御のブロック図を示す。
回転板（１３）は、円周の周囲にＮ磁極とＳ磁極が交互に配置された円盤状であり、左右１対の２輪を連結する車軸（１２）に、車輪（１５a）、（１５b）と同軸に取り付けられており、車輪（１５a）、（１５b）が１回転すると回転板（１３）も１回転する。
本発明の検尺装置（１）では磁極には等方性バリウムフェライト磁石を用いている。
【００３１】
検尺部（６）は、プリント基板に２つのホール素子とパルス信号波形生成回路などを実装したものであり、回転板（１３）が回転することにより生じる磁界の変化からＡ相パルス（２２）とＢ相パルス（２３）の２相のパルス信号を生成し、演算部（１１）に伝達する。
本発明の検尺装置（１）では、車輪（１５a）、（１５b）が１回転すれば回転板（１３）も１回転し、Ａ相パルス（２２）とＢ相パルス（２３）はそれぞれ１５パルス生成され、演算部（１１）は、Ａ相パルス（２２）とＢ相パルス（２３）を４逓倍して読み取るので、車輪（１５a）、（１５b）が１回転すれば、検尺パルスは６０個生成される。
【００３２】
装置係止部（４）は、本発明の検尺装置（１）を、壁紙糊付機やインクジェット壁紙コーティング機やフィルムラミネート機や布地捺染の前処理機など、シート状物を搬送する機器に装着する為の取り付け具であり、装置係止部（４）は本発明の検尺装置（１）が装着される機器により異なる形状のものが準備されている。
【００３３】
記憶部（８）は、演算部（１１）が算出したシート状物の長さや枚数の記憶や表示操作部（７）などの制御を行う為に必要な制御パラメータを記憶するためのもので、電源をＯＦＦしても記憶内容を保持できるＥＥＰＲＯＭと、ワンチップマイコンに内蔵されているＲＯＭとＲＡＭで構成されている。
【００３４】
インターフェイス部（９）は、検尺部（６）のＡ相パルス（２２）とＢ相パルス（２３）、および、長さリセット信号と枚数リセット信号をオープンドレイン出力で外部機器に伝達する回路や操作指示を外部から入力する回路やＵＳＢによるシリアルデータ通信回路などである。
【００３５】
表示操作部（７）は、演算部（８）が算出したシート状物の長さと枚数などを表示する液晶表示部と長さリセットと枚数リセットなどを指示する為の複数のタクトスイッチからなる操作部で構成されている。
【００３６】
演算部（１１）は、主にワンチップマイコンであり、検尺部（６）により生成される検尺パルスを計数し、シート状物の長さの算出を行い、表示操作部（７）に表示する。
演算部（１１）は長さＬを、Ｌ＝ｔ×Ｐ  として算出する。
（ｔは現時点の検尺パルスの計数値）  
Ｐは車輪（１５a）、（１５b）の直径と車輪（１５a）、（１５b）が１回転する当たり    に生成される検尺パルスの数により定まる定数であり、
Ｐ＝πＲ／ｍ、  （ｍは車輪１回転当たりの検尺パルスの数）であり、
（Ｒは車輪の直径）である。
【００３７】
また、演算部（１１）は、  検尺部（６）が生成するＡ相パルス（２２）の位相とＢ相パルス（２３）の位相から車輪（１５a）、（１５b）の回転方向の判定を行う。回転方向の判定方法は、パルスの状態変化を監視し、
Ａ相パルスの立上がり時にＢ相パルスの状態が０ならば、ＣＷ方向回転であると判定する。
Ａ相パルスの立上がり時にＢ相パルスの状態が１ならば、ＣＣＷ方向回転であると判定する。
Ａ相パルスの立下がり時にＢ相パルスの状態が１ならば、ＣＷ方向回転であると判定する。
Ａ相パルスの立下がり時にＢ相パルスの状態が０ならば、ＣＣＷ方向回転であると判定する。
または、
Ｂ相パルスの立上がり時にＡ相パルスの状態が１ならば、ＣＷ方向回転であると判定する。
Ｂ相パルスの立上がり時にＡ相パルスの状態が０ならば、ＣＣＷ方向回転であると判定する。
Ｂ相パルスの立下がり時にＡ相パルスの状態が０ならば、ＣＷ方向回転であると判定する。
Ｂ相パルスの立下がり時にＡ相パルスの状態が１ならば、ＣＣＷ方向回転であると判定する。
であると判定する。パルスの波形の図で説明すると、図２（b）の状態がＣＷ方向回転であり、図２（c）の状態がＣＣＷ方向回転である。
【００３８】
また、演算部（１１）と記憶部（８）とインターフェイス部（９）と表示操作部（７）は制御基板（３６）に実装されている。
【００３９】
設置角度検出部（２１）は、Ｘ軸とＹ軸とＺ軸の３軸のＭＥＭＳ加速度センサなどで構成した制御基板（１９）に設けられた電子回路であり、演算部（１１）が設置角度検出部（２１）の出力電圧をＡ／Ｄ変換機能で読み取ることによって検尺装置（１）が載置されている姿勢を検出し、表示操作部（７）に表示している長さと枚数の上下を反転させて表示することにより、作業者がいる方向から見て見やすくするためのものである。
【００４０】
電源部（１０）は、検尺装置（１）が動作するための電源電圧を作る電子回路であり、ＵＳＢ通信コネクタ（図示せず）から供給される電源電圧と乾電池（図示せず）から供給される電源電圧の切り替えを自動で行う。
【００４１】
本発明の検尺装置（１）を、シート状物Ａを搬送する機器の搬送路に載置して使用する場合について、手動壁紙糊付機に装着して使用する場合を、図３−aを用いて説明する。
手動壁紙糊付機は、ビニル材質や紙材質などの壁紙の裏面に、糊を塗布するための装置であり、壁紙（図３ではシート状物Ａ）は、原反部Ｂが手動壁紙糊付機の後方の原反受け（図示せず）にセットされ、作業者の手により先端を引き出されて、上部ステー（２７）の上を通され、検尺装置取り付けステー（２５）の下を通され、糊付けローラー（２６）の上を通され、手動壁紙糊付機の前方へ引き出される経路で搬送される。
【００４２】
検尺装置（１）は、装置係止部先端（５）を検尺装置取り付けステー（２５）に引っかけて上部ステー（２７）の上の壁紙Ａの上に乗せて載置され、検尺装置（１）の荷重により、移動する壁紙に車輪（１５a）、（１５b）が従動回転して糊を付けて排出される壁紙の長さを測長する。
作業者により、長さリセットスイッチ（図示せず）が押され、続いて枚数リセットスイッチ（図示せず）が押されると、演算部（１１）は表示操作部に表示している長さと枚数をリセットして、値ゼロを表示する。
【００４３】
作業者により壁紙Ａが、図３−aに示す方向に引っ張られると、車輪（１５a）、（１５b）は、図１で示す正転ＣＷ方向に回転し、検尺部（６）では、図２−bで示したＡ相パルス（２２）が先に進み、Ｂ相パルス（２３）が遅れた検尺パルスが生成されるので、演算部（１１）は、記憶部（８）に設けている検尺パルス計数用の変数ｔの値を読み出して、１加算して再び変数ｔに記憶させる（以下ではこの演算を検尺パルスの計数値ｔを、ｔ←ｔ＋１として加算する、と称する）。そして、壁紙の長さＬを、Ｌ＝ｔ×Ｐとして算出し、表示操作部（７）の長さ表示の欄に表示するので、作業者は、表示操作部（７）の長さ表示の欄を目視しながら、壁紙を引っ張って、糊付けしたい長さ、例えば、２００ｃｍとすると、表示操作部（７）の長さ表示の欄が２００ｃｍになった時点で手を止める。
【００４４】
また、作業者が手を止めるのが遅れて、例えば、搬送された壁紙の長さが２０３ｃｍになった場合は、作業者は壁紙の原反部Ｂを手で持って、逆の方向に回して巻き戻すと、車輪（１５a）、（１５b）は、逆転ＣＣＷ方向に回転し、図２−cで示した位相で、検尺パルスが生成されるので、演算部（１１）は、検尺パルスの計数値ｔを、ｔ←ｔ−１として減算し、
壁紙の長さＬを、Ｌ＝ｔ×Ｐとして算出し、表示操作部（７）の長さ表示の欄に逐次表示するので、作業者は、表示操作部（７）の長さ表示の欄を目視しながら、３ｃｍ分戻して、長さ表示の欄が２００ｃｍになった時点で手を止める。
このようにして１枚めの壁紙の糊付けができる。
【００４５】
また、制御基板（１９）は装置係止部先端（５）の方向を下にして傾いているので、演算部（１１）は、設置角度検出部（２１）により傾きを検知して、長さと枚数を図５−aの方向で表示するので、シート状物Ａの先端を引っ張っている作業者にとっては読み取りやすい方向となる。
【００４６】
続いて、本発明の検尺装置（１）を、シート状物Ａの原反部Ｂに載置して使用する場合について、布地捺染前処理機に装着して使用する場合を、図３−bと図３−cを用いて説明する。  布地捺染前処理機は、インクジェットプリンタ（図示せず）により、布地に図柄を印刷する前の処理として、インクが定着し易くなるように生地の表面に前処理剤を塗る為の装置である。  布地Ａ（図３ではシート状物Ａで示す）には弾力があり伸縮するものが多くあるので、搬送されている経路の途中に検尺装置（１）を載置した場合、車輪（１５a）、（１５b）が接触している部分にのみ検尺装置（１）の荷重がかかりそこだけテンションが強くなり、布地にシワが発生するので、布地捺染前処理機に載置する場合は、布地Ａの原反部Ｂに検尺装置（１）を載置して、原反部Ｂの回転に車輪（１５a）、（１５b）を従動回転させるのである。
【００４７】
この場合、布地の原反部Ｂには、表面が外側に巻かれているもの（（図３−bに示すもの）以下では「外巻き」と称する）と表面が内側に巻かれているも（（図３−cに示すもの）以下では「内巻き」と称する）があり、「外巻き」の原反部Ｂに載置した場合と「内巻き」の原反部Ｂに載置した場合とでは車輪（１５a）、（１５b）の回転方向が異なる。  
「外巻き」の場合、布地Ａが布地捺染前処理機の内部に搬送されると、原反部Ｂは時計方向ＣＷに回転し、検尺装置（１）の車輪（１５a）、（１５b）は反時計方向ＣＣＷに回転する。一方、「内巻き」の原反部Ｂに載置した場合は車輪（１５a）、（１５b）は時計方向ＣＷに回転する。しかし、原反部Ｂが「外巻き」の場合でも「内巻き」の場合でも、原反部Ｂから解反されて布地捺染前処理機の内部に搬送されていく方向に移動した布地の長さを加算して（プラスして）測長する必要がある。
【００４８】
そこで、本発明の検尺装置（１）では、原反部Ｂが「外巻き」か「内巻き」かを指示するスイッチ（図示せず）を設け、「外巻き」が指示された場合には、図２−cに示したＣＣＷ位相で生成される検尺パルスを、検尺パルスの計数値ｔ←ｔ＋１として加算し、図２−bに示したＣＷ位相で生成される検尺パルスを、検尺パルスの計数値ｔ←ｔ−１として減算し、
長さＬを、Ｌ＝ｔ×Ｐとして算出するので、原反部Ｂから解反されて布地捺染前処理機の内部に搬送された方向に移動した布地の長さをプラス方向として算出して表示操作部（７）に表示することができる。
【００４９】
一方、「内巻き」が設定された場合には、図２−bに示した位相で生成される検尺パルスを、検尺パルスの計数値ｔを、ｔ←ｔ＋１として加算し、図２−cに示した位相で生成される検尺パルスを、検尺パルスの計数値ｔを、ｔ←ｔ−１として減算し、原反部Ｂから解反されて搬送された布地の移動長さＬを、Ｌ＝ｔ×Ｐとして算出し、表示操作部（７）の長さ表示の欄に表示する。
【００５０】
続いて、原反部Ｂに載置して布地Ａの長さを測長するときの検尺装置（１）の載置状態を説明する。
作業者により、布地が原反部Ｂから引き出されて布地捺染前処理機のガイドローラー（２８）の上を通されて搬送路にセットされた状態を実線で示しており、検尺装置（１）は、装置係止部先端（５）が布地捺染前処理機の検尺装置取り付けステー（２４）に引っかけられている。
装置係止部先端（５）の内径は布地捺染前処理機の検尺装置取り付けステー（２４）の外径よりもやや大きくしているので、検尺装置（１）は装置係止部先端（５）を支点に重力により回動することができ、布地が原反部Ｂから引き出されて原反部Ｂの直径が小さくなっていった場合は、装置係止部先端（５）を中心とする車輪（１５a）、（１５b）の回動軌跡の円弧は、上ケース（２）の回動軌跡の円弧よりも半径が大きく、かつ、下ケース（３）の回動軌跡の円弧よりも半径が大きいので、上ケース（２）も下ケース（３）も原反部Ｂに接触することがないので、常時、車輪（１５a）、（１５b）のみが原反部Ｂに接触するので原反部Ｂの回転に従動回転できるので、搬送される布地Ａの長さに比例した検尺パルスが生成されて搬送された布地の長さが算出される。
鎖線は布地が原反部Ｂから引き出されて原反部Ｂの直径が小さくなった場合の検尺装置（１）の状態である。
【００５１】
また、原反部Ｂに載置されている状態では、検尺装置（１）は装置係止部先端（５）の方向を上にして傾いているので、長さと枚数を図５−bの方向で表示するので、シート状物Ａの原反部Ｂの所にいる作業者は読み取りやすい。
【００５２】
また、本発明の検尺装置（１）ではシート状物Ａの材質に応じて、車輪（１５a）、（１５b）を交換することができる。例えば、布地の場合は針が設けられている車輪（１５a）、（１５b）に交換すれば滑りにくいものとなる。
【００５３】
続いて、本発明の検尺装置（１）を手で持って、机上Ｄに置かれたシート状物Ａの長さを測長する場合を図４−aを用いて説明する。
作業者は本発明の検尺装置（１）の表示操作部（７）の長さリセットスイッチ（図示せず）を押すと本発明の検尺装置（１）の演算部（１１）は、長さを０にリセットする。
机上Ｄに置かれたシート状物Ａの右端（実線で示す位置）から左端（鎖線で示す位置）まで、検尺装置（１）を手で持って、車輪（１５a）、（１５b）を転がすと、図２（c）で示した反時計方向ＣＣＷ位相の検尺パルスが生成され、演算部（１０）は検尺パルスの計数値ｔ←ｔ＋１として加算し、長さＬを、Ｌ＝ｔ×Ｐとして算出し、表示操作部（７）の長さ表示の欄に表示されるので、机上に置かれたシート状物Ａの長さを測長することができる。
また、左端（鎖線で示す位置）から右端（実線で示す位置）に示す方向に転がした場合、図２（b）で示した時計方向ＣＷ位相の検尺パルスが生成され、演算部（１０）は検尺パルスの計数値ｔ←ｔ−１として減算し、長さＬを、Ｌ＝ｔ×Ｐとして算出し、表示操作部（７）の長さ表示の欄に表示するので、行きすぎた場合には戻せばよく、一端全長を測長してから途中まで戻して途中までの測長ができる。
【００５４】
続いて、本発明の検尺装置（１）を手で持って、壁の高さを測長する場合を図４−bを用いて説明する。
作業者が、まず、長さリセットスイッチ（図示せず）を押して長さを０にリセットしてから、車輪（１５a）、（１５b）を部屋の隅の床面Ｅと壁面に当てて、表示操作部（７）の半径加算スイッチ（図示せず）を押すと、本発明の検尺装置（１）の演算部（１１）は長さの値０に車輪（１５a）、（１５b）の半径ｒを加算して表示する。
続いて、床面Ｅから（実線で示す位置）から天井面Ｆ（鎖線で示す位置）まで、検尺装置（１）を手で持って、車輪（１５a）、（１５b）を転がすと、図２（c）で示した反時計方向ＣＣＷ位相の検尺パルスが生成され、演算部（１０）は検尺パルスの計数値ｔ←ｔ＋１として加算し、長さＬを、Ｌ＝ｔ×Ｐとして算出し、表示操作部（７）の長さ表示の欄に表示するので、
部屋の天井面Ｆに車輪（１５a）、（１５b）を当てた状態で半径加算スイッチ（図示せず）を押す。  
床面Ｅから天井面Ｆまでの高さＨはＨ＝Ｌ＋ｒ＋ｒとなる。
Ｌは検尺パルスの計数値ｔからＬ＝ｔ×Ｐで算出した長さ。
ｒは車輪（１５a）、（１５b）の半径である。
表示操作部（７）の長さ表示の欄に表示す
【００５５】
手持ちモードでは、検尺装置（１）が図４−aの姿勢にある時は表示操作部（７）に表示する長さと枚数は図５−bの方向に表示し、図４−bの姿勢にある時は表示操作部（７）に表示する長さと枚数は図５−aの方向に表示するので、作業者にとって見やすい。
【００５６】
手持ちモードでは、装置係止部（４）は、装置係止部止めネジ（１６a）、（１６b）を緩めて取り外すか、あるいは長い取っ手に交換するなど測長する場所の都合によって作業者が行う。
【００５７】
図６に示すフローチャートは、電源スイッチがＯＮされて起動した直後に実行する処理であり、モード選択スイッチ（図示せず）により選択された処理に分岐する為の処理である。
搬送路に載置して使う場合の「搬送路載置モード」が選択された場合は図７のフローチャートに示す処理を実行し、原反部Ｂに載置して使う場合の「原反部載置モード」が選択された場合は図８のフローチャートに示す処理を実行し、手で持って測長する「手持ちモード」が選択された場合は図９のフローチャートに示す処理を実行する。
【００５８】
図７は「搬送路載置モード」の処理である。
処理ＮＰＴ１は、長さと枚数の初期値を表示操作部（７）に表示する処理である。
演算部（１０）は、前に電源スイッチ（１７）がＯＦＦされた時に記憶していた長さと枚数を記憶部（８）から読み出して表示操作部（７）に表示する。
また、長さリセットスイッチ（図示せず）が押された場合は、検尺パルスの計数値ｔを０にリセットし、長さＬを０ｃｍにリセットして表示操作部（７）に表示する。
また、枚数リセットスイッチが押された場合は、枚数を０枚にリセットして表示操作部（７）に表示する。
処理ＮＰＴ２へ進む。
【００５９】
処理ＮＰＴ２は、検尺部（６）の生成する検尺パルスの状態から車輪（１５a）、（１５b）の回転方向を判定する処理である。
検尺パルスが図２（b）に示すＣＷ位相であれば処理ＮＰＴ３へ進み、
検尺パルスが図２（c）に示すＣＣＷ位相であれば処理ＮＰＴ４へ進む。
【００６０】
処理ＮＰＴ３は、車輪（１５a）、（１５b）が時計方向ＣＷに回転している場合に実行する処理であり、検尺パルスの計数値ｔ←ｔ＋１として加算し、処理ＮＰＴ５へ進む。
【００６１】
処理ＮＰＴ４は、車輪（１５a）、（１５b）が反時計方向ＣＣＷに回転している場合に実行する処理であり、検尺パルスの計数値ｔ←ｔ−１として減算し、処理ＮＰＴ５へ進む。
【００６２】
処理ＮＰＴ５は、現時点の検尺パルスの計数値ｔから、搬送された布地の移動長さＬを、Ｌ＝ｔ×Ｐとして算出し、表示操作部（７）の長さ表示の欄に表示し、処理ＮＰＴ２へループする。
【００６３】
図８は「原反部載置モード」の処理である。
処理ＧＰＴ１は、長さと枚数の初期値を表示操作部（７）に表示する処理である。
演算部（１０）は、前に電源スイッチ（１７）がＯＦＦされた時に記憶していた長さと枚数を記憶部（８）から読み出して表示操作部（７）に表示する。
また、長さリセットスイッチ（図示せず）が押された場合は、検尺パルスの計数値ｔを０にリセットし、長さＬを０ｃｍにリセットして表示操作部（７）に表示する。
また、枚数リセットスイッチが押された場合は、枚数を０枚にリセットして表示操作部（７）に表示する。処理ＧＰＴ２へ進む。
【００６４】
処理ＧＰＴ２は、原反部Ｂが「外巻き」か「内巻き」かを設定する処理である。
巻き方向設定スイッチ（図示せず）により「内巻き」が指示された場合は「巻き方向フラグ」を１にセットして記憶部（８）に記憶して処理ＧＰＴ３へ進み、「外巻き」が指示された場合は「巻き方向フラグ」を０にセットして記憶部（８）に記憶して処理ＧＰＴ４へ進む。
【００６５】
処理ＧＰＴ３は、「内巻き」が指示された場合の、検尺部（６）の生成する検尺パルスの状態から車輪（１５a）、（１５b）の回転方向を判定する処理である。
検尺パルスが図２（b）に示すＣＷ位相であれば処理ＧＰＴ５へ進み、
検尺パルスが図２（c）に示すＣＣＷ位相であれば処理ＧＰＴ６へ進む。
【００６６】
処理ＧＰＴ４は、「外巻き」が指示された場合の、検尺部（６）の生成する検尺パルスの状態から車輪（１５a）、（１５b）の回転方向を判定する処理である。
検尺パルスが図２（b）に示すＣＷ位相であれば処理ＧＰＴ６へ進み、
検尺パルスが図２（c）に示すＣＣＷ位相であれば処理ＧＰＴ５へ進む。
【００６７】
処理ＧＰＴ５は、検尺パルスの計数値ｔ←ｔ＋１として加算し、処理ＧＰＴ７へ進む。
【００６８】
処理ＧＰＴ６は、検尺パルスの計数値ｔ←ｔ−１として減算し、処理ＧＰＴ７へ進む。
【００６９】
処理ＧＰＴ７は、現時点の検尺パルスの計数値ｔから、搬送された布地の移動長さＬを、Ｌ＝ｔ×Ｐとして算出し、表示操作部（７）の長さ表示の欄に表示し、処理ＧＰＴ８へ進む。
【００７０】
処理ＧＰＴ８は、「巻き方向フラグ」を記憶部（８）から読み出して、「巻き方向フラグ」が１であれば処理ＧＰＴ３へ戻り、「巻き方向フラグ」が０であれば処理ＧＰＴ４へ戻る。
【００７１】
本発明の検尺装置（１）では、巻き方向設定手段として、巻き方向設定スイッチ（図示せず）と記憶部（８）に記憶する「巻き方向フラグ」と、処理ＧＰＴ２と処理ＧＰＴ３と処理ＧＴＰ４と処理ＧＴＰ８を有しているので、検尺部（６）の生成する検尺パルスの状態から車輪（１５a）、（１５b）の回転方向を判定し、検尺パルスの計数値ｔ←ｔ＋１として加算するか、あるいは、検尺パルスの計数値ｔ←ｔ−１として減算するかを設けているので、原反部Ｂが「外巻き」の場合でも「内巻き」の場合でも、原反部Ｂから解反されて機器の内部に搬送されていくシート状物の長さをプラスとして測長できる。
【００７２】
図９は「手持ちモード」の処理である。処理ＨＰＴ１は、長さと枚数の初期値を表示操作部（７）に表示する処理である。演算部（１０）は、前に電源スイッチ（１７）がＯＦＦされた時に記憶していた長さと枚数を記憶部（８）から読み出して表示操作部（７）に表示する。
【００７３】
また、長さリセットスイッチ（図示せず）が押された場合は、検尺パルスの計数値ｔを０にリセットし、長さＬを０ｃｍにリセットして表示操作部（７）に表示する。
また、枚数リセットスイッチが押された場合は、枚数を０枚にリセットして表示操作部（７）に表示する。処理ＨＰＴ２へ進む。
【００７４】
処理ＨＰＴ２では、車輪（１５a）、（１５b）の半径ｒを加算する為の、表示操作部（７）の半径加算スイッチ（図示せず）が押されたら処理ＨＰＴ３へ進む。
【００７５】
処理ＨＰＴ３は、車輪（１５a）、（１５b）の半径ｒを加算し、移動長さＬ１を、Ｌ１←Ｌ１＋ｒとし、表示操作部（７）に表示する。
【００７６】
処理ＨＰＴ４は、検尺部（６）の生成する検尺パルスの状態から車輪（１５a）、（１５b）の回転方向を判定する処理である。
検尺パルスが図２（b）に示すＣＷ位相であれば処理ＨＰＴ５へ進み、
検尺パルスが図２（c）に示すＣＣＷ位相であれば処理ＨＰＴ６へ進む。
【００７７】
処理ＨＰＴ５は、車輪（１５a）、（１５b）が時計方向ＣＷに回転している場合に実行する処理であり、検尺パルスの計数値ｔ←ｔ＋１として加算し、処理ＨＰＴ７へ進む。
【００７８】
処理ＨＰＴ６は、車輪（１５a）、（１５b）が反時計方向ＣＣＷに回転している場合に実行する処理であり、検尺パルスの計数値ｔ←ｔ−１として減算し、処理ＨＰＴ７へ進む。
【００７９】
処理ＨＰＴ７は、現時点の検尺パルスの計数値ｔから、搬送された布地の移動長さＬ２を、Ｌ２←ｔ×Ｐとして算出し、搬送された布地の移動長さＬをＬ＝Ｌ１＋Ｌ２として表示操作部（７）の長さ表示の欄に表示し、処理ＨＰＴ２へループする。
【００８０】
「手持ちモード」では、検尺パルスを計数することにより測長した長さの値に、車輪の半径寸法を加算して長さ測長値とするので、部屋の隅部など車輪が入り込むことができない部分の寸法も含めた長さの測長値を得ることができる。
【符号の説明】
【００８１】
１      検尺装置  
２      上ケース
３      下ケース
４      装置係止部
５      装置係部先端
６      検尺部
７      表示操作部
８      記憶部
９      インターフェイス部
１０    電源部
１１    演算部
１２    車軸
１３    回転板
１４a  車軸受け
１４b  車軸受け
１５a  車輪
１５b  車輪
１６a  装置係止部止めネジ
１６b  装置係止部止めネジ
１７    電源スイッチ
１８    ＵＳＢコネクタ
１９    制御基板
２０    下ケース面取り部
２１    装置角度検出部
２２   Ａ相パルス
２３   Ｂ相パルス
２４   検尺装置取り付けステー
２５   検尺装置取り付けステー
２６   糊付けローラー   
２７   上部ステー
２８   ガイドローラー
２９   枚数表示部
３０   長さ表示部
３１   下部ケース背面
３２   下部ケース底面
３３a  車輪セットボルト
３３b  車輪セットボルト
３４    回転板セットボルト
Ａ     シート状物
Ｂ     シート状物の原反部
Ｃ     シート状物の表面
Ｄ     机上
Ｅ     床面
Ｆ     天井面
Ｇ     壁面
【図１】
2018017508.tif 000003
【図２】
2018017508.tif 000004
【図３】
2018017508.tif 000005
【図４】
2018017508.tif 000006
【図５】
2018017508.tif 000007
【図６】
2018017508.tif 000008
【図７】
2018017508.tif 000009
【図８】
2018017508.tif 000010
【図９】
2018017508.tif 000011